(57)【要約】      （修正有）【課題】スーパーマーケット等の店頭で新商品の宣伝を印刷したチラシや、割引券付の宣伝を印刷したチラシ等を顧客に効果的に配布することができるようにする。【解決手段】１枚の略長方形をした基板状を成し、中央部分にシート状表示物１０を抜き差し可能に保持する箱状収納部７を設け、かつ、該箱状収納部７を挟んで左右両側に広告面部８，８をそれぞれ設けて成る広告基板２と、該広告基板２を吊すために該広告基板２に取り付けられた紐３、あるいは、該広告基板２の背面側に設けられ、該背面に対して平面状に倒伏された平面展開形状と該背面側と対向する方向に折り曲げ起立されて前記広告基板２を背面側から自立状態に支持する起立展開形状とに切り換え可能な支持脚とを備えた広告用具。【選択図】図１
0003141217.tif 000002
【実用新案登録請求の範囲】
【請求項１】
１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板に取り付けられた該広告基板を吊すための紐とを備えていることを特徴とする広告用具。
【請求項２】
１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板の背面側に設けられ、該背面に対して平面状に倒伏された平面展開形状と該背面側と対向する方向に折り曲げ起立されて前記広告基板を背面側から自立状態に支持する起立展開形状とに切り換え可能な支持脚とを備えていることを特徴とする広告用具。
【請求項３】
１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板に取り付けられた該広告基板を吊すための紐と、前記広告基板の背面側に設けられ、該背面に対して平面状に倒伏された平面展開形状と該背面側と対向する方向に折り曲げ起立されて前記広告基板を背面側から自立状態に支持する起立展開形状とに切り換え可能な支持脚とを備えていることを特徴とする広告用具。
【請求項４】
上記箱状収納部は、透明または半透明なプラスチック材で形成されていることを特徴とする請求項１，２または３記載の広告用具。
【考案の詳細な説明】
【技術分野】
【０００１】
本考案は広告用具に関するものであり、特に、例えばスーパーマーケット等の店頭で新商品の宣伝を印刷したチラシや、割引券付の宣伝を印刷したチラシ等を顧客に配布するのに適した広告用具に関するものである。
【背景技術】
【０００２】
従来から、新商品の宣伝や販売拡大を行う方法として、スーパーマーケット等の店頭で、商品の宣伝を印刷したチラシや割引券付の宣伝を印刷したチラシ等を顧客に配布する方法が採られている。また、チラシを顧客に配布する方法として、宣伝員が一枚ずつ手渡しで顧客に配布する方法、あるいは、チラシを所定の場所に積み重ねておき、必要とする顧客が自由に取って持ち帰るというような方法がとられている。
【考案の開示】
【考案が解決しようとする課題】
【０００３】
しかしながら、宣伝員がチラシを一枚ずつ手渡しで顧客に配布する方法では、人件費が掛かるという問題がある。また、必要としない顧客にまで配布をして、無駄が生じることもあった。
【０００４】
一方、チラシを店頭の所定の場所に積み重ねておき、必要とする顧客が自由に取って持ち帰るという方法では、顧客がチラシに気づきにくく、顧客に対して広告宣伝をアピールする機能を十分に発揮することができていなかった。また、店頭に積み重ねて置いたチラシが散乱し、周囲を汚すという問題もあった。
【０００５】
そこで、スーパーマーケット等の店頭で新商品の宣伝を印刷したチラシや、割引券付の宣伝を印刷したチラシ等のシート状表示物を顧客に効果的に配布することができるようにするために解決すべき技術的課題が生じてくるのであり、本考案はこの課題を解決することを目的とする。
【課題を解決するための手段】
【０００６】
本考案は上記目的を達成するために提案されたものであり、請求項１記載の考案は、１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板に取り付けられた該広告基板を吊すための紐とを備えている広告用具を提供する。
【０００７】
この構成によれば、広告基板は、箱状収納部に新商品の宣伝や割引券付の宣伝を印刷したチラシ等のシート状表示物を抜き差し自在に収納し、かつ、左右の広告面部にシート状表示物と関連したキャッチコピー等をそれぞれ印刷した１枚の長方形をした基板として形成される。そして、該広告基板を、例えばスーパーマーケットの顧客の目にとまりやすいサッカー台等に設置されている袋ロールスタンドに紐で吊し、顧客の目にとまりやすい状態にして設置することができる。また、新商品の宣伝や割引券付の宣伝を印刷したチラシ等のシート状表示物を必要とする顧客は、箱状収納部から引き抜いて自由に持ち帰ることができる。
【０００８】
請求項２記載の考案は、１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板の背面側に設けられ、該背面に対して平面状に倒伏された平面展開形状と該背面側と対向する方向に折り曲げ起立されて前記広告基板を背面側から自立状態に支持する起立展開形状とに切り換え可能な支持脚とを備えている広告用具を提供する。
【０００９】
この構成によれば、広告基板は、箱状収納部に新商品の宣伝や割引券付の宣伝を印刷したチラシ等のシート状表示物を抜き差し自在に収納し、かつ、広告面部にシート状表示物と関連したキャッチコピー等をそれぞれ印刷した１枚の長方形をした基板として形成される。そして、該広告基板の支持脚を平面展開形状から起立展開形状に折り曲げ、該支持脚で広告基板の背面側を支えることにより、該広告基板を、例えばスーパーマーケットの顧客の目にとまりやすいサッカー台上に自立状態にして設置することができる。また、新商品の宣伝や割引券付の宣伝を印刷したチラシ等を必要とする顧客は、箱状収納部から引き抜いて自由に持ち帰ることができる。
【００１０】
請求項３記載の考案は、１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板に取り付けられた該広告基板を吊すための紐と、前記広告基板の背面側に設けられ、該背面に対して平面状に倒伏された平面展開形状と該背面側と対向する方向に折り曲げ起立されて前記広告基板を背面側から自立状態に支持する起立展開形状とに切り換え可能な支持脚とを備えている広告用具を提供する。
【００１１】
この構成によれば、広告基板は、箱状収納部に新商品の宣伝や割引券付の宣伝を印刷したチラシ等のシート状表示物を抜き差し自在に収納し、かつ、広告面部にシート状表示物と関連したキャッチコピー等をそれぞれ印刷した１枚の長方形をした基板として形成される。そして、該広告基板を、例えばスーパーマーケットの顧客の目にとまりやすいサッカー台等に設置されている袋ロールスタンドに紐で吊し、顧客の目にとまりやすい状態にして設置する、あるいは、該広告基板の支持脚を平面展開形状から起立展開形状に折り曲げ、該支持脚で広告基板の背面側を支えることにより、該広告基板を、顧客の目にとまりやすいサッカー台上に自立状態にして設置することができる。また、新商品の宣伝や割引券付の宣伝を印刷したチラシ等を必要とする顧客は、箱状収納部から引き抜いて自由に持ち帰ることができる。
【００１２】
請求項４記載の考案は、上記箱状収納部が透明または半透明なプラスチック材で形成されている広告用具を提供する。
【００１３】
この構成によれば、透明または半透明なプラスチック材で形成されている箱状収納部に収納された新商品の宣伝や割引券付の宣伝を印刷したチラシ等のシート状表示物は、該シート状表示物に印刷されている内容等を箱状収納部から取り出さなくても外側から見え、顧客は必要の有無を外側から判断することができる。
【考案の効果】
【００１４】
請求項１記載の考案は、広告基板を、例えばスーパーマーケットの顧客の目にとまりやすいサッカー台等に設置されている袋ロールスタンドに紐で吊持して設置することができるので、顧客が広告基板に気づきやすく、広告宣伝を十分アピールすることができる。また、箱状収納部内のチラシに関連したキャッチコピー等を広告面部に大きく表示することもできるので広告宣伝効果もより一層倍増する。さらに、新商品の宣伝や割引券付の宣伝を印刷したチラシ等のシート状表示物は、該シート状表示物を必要とする顧客だけが箱状収納部から引き抜いて自由に持ち帰ることになるので、無駄な配布も少なくなり、経済性も向上する。また、さらにシート状表示物を箱状収納部に収納しているので、置いてあるチラシ等が周囲に散乱するのを防ぐこともできる。
【００１５】
請求項２記載の考案は、広告基板を、例えばスーパーマーケットの顧客の目にとまりやすいサッカー台上等に自立状態にして設置することができるので、顧客が広告基板に気づきやすく、広告宣伝を十分アピールすることができる。また、箱状収納部内のチラシに関連したキャッチコピー等を広告面部に大きく表示することもできるので広告宣伝効果もより一層倍増する。さらに、新商品の宣伝や割引券付の宣伝を印刷したチラシ等のシート状表示物は、該シート状表示物を必要とする顧客だけが箱状収納部から引き抜いて自由に持ち帰ることになるので、無駄な配布も少なくなり、経済性も向上する。また、さらにシート状表示物を箱状収納部に収納しているので、置いてあるチラシ等が周囲に散乱するのを防ぐこともできる。
【００１６】
請求項３記載の考案は、広告基板を、例えばスーパーマーケットの顧客の目にとまりやすいサッカー台等に設置されている袋ロールスタンドに紐で吊持して設置する、あるいは、サッカー台上等に自立状態にして設置しておくことができるので、顧客が広告基板に気づきやすく、広告宣伝を十分アピールすることができる。また、箱状収納部内のチラシに関連したキャッチコピー等を広告面部に大きく表示することもできるので広告宣伝効果もより一層倍増する。さらに、新商品の宣伝や割引券付の宣伝を印刷したチラシ等のシート状表示物は、該シート状表示物を必要とする顧客だけが箱状収納部から引き抜いて自由に持ち帰ることになるので、無駄な配布も少なくなり、経済性も向上する。また、さらにシート状表示物を箱状収納部に収納しているので、置いてあるチラシ等が周囲に散乱するのを防ぐこともできる。
【００１７】
請求項４記載の考案は、透明または半透明なプラスチック材で形成されている箱状収納部に収納された新商品の宣伝や割引券付の宣伝を印刷したチラシ等のシート状表示物が、該シート状表示物に印刷されている内容等を箱状収納部から取り出さなくても外側から見えるので、請求項１，２または３記載の考案の効果に加えて、箱状収納部内におけるシート状表示物を必要とするか否かの判断を顧客が簡単に行うことができるという効果が期待できる。
【考案を実施するための最良の形態】
【００１８】
スーパーマーケット等の店頭で新商品の宣伝を印刷したチラシや、割引券付の宣伝を印刷したチラシ等を顧客に効果的に配布することができるようにするという目的を達成するために、１枚の略長方形をした基板状を成し、中央部分にシート状表示物を抜き差し可能に保持する箱状収納部を設け、かつ、該箱状収納部を挟んで左右両側に広告面部をそれぞれ設けて成る広告基板と、該広告基板に取り付けられた該広告基板を吊すための紐、あるいは、前記広告基板の背面側に設けられ、該背面に対して平面状に倒伏された平面展開形状と該背面側と対向する方向に折り曲げ起立されて前記広告基板を背面側から自立状態に支持する起立展開形状とに切り換え可能な支持脚とを備えたことにより実現した。
【実施例】
【００１９】
以下、本考案の広告用具について、好適な実施例をあげて説明する。図１は本考案の一実施の形態を示す広告用具を正面側から見た斜視図で、図２は背面側から見た広告用具の斜視図である。
【００２０】
図１及び図２において、広告用具１は、広告基板２と、該広告基板２に取り付けている紐３と、該広告基板２の背面側に設けている支持脚４とにより構成されている。
【００２１】
前記広告基板２は、例えば発泡スチロールで形成された硬質ボード基材２ａと、該硬質ボード基材２ａの表面全体を覆って該硬質ボード基板２ａ上に積層配置されている薄膜状の表面シート２ｂと、該硬質ボード基材２ａの背面(裏面)上に積層配置されている硬質の背面シート２ｃとを、それぞれ互いに貼り合わせて一体化されており、縦が約１８センチ、横が約２５センチ、厚みが約５ミリの１枚の略長方形基板として形成されている。但し、寸法は之に限定せられるべきではない。
【００２２】
また、該広告基板２の上部中央部分には、左右方向に所定の間隔を持たせて、それぞれ前後方向に貫通している１対の取付孔６，６が設けられている。そして、該取付孔６，６には前記紐３が順次通され、かつ、該紐３の両端同士を互いに結束して輪状にされ、この輪の状態で該紐３が広告基板２に取り付けられている。
【００２３】
なお、該紐３は、広告基板２を吊り下げて保持するときに固定側のフック等に引っ掛けて使用するものであり、フック等に引っ掛けて吊すことができるものであれば必ずしも輪でなくても良く、また、１本あるいは複数本であってもよい。本実施の形態の構造では、１本の紐３を使用し、広告基板２の背面側で両端同士を結束して輪状にした構造を示している。したがって、この構造の場合では、輪状に結束された紐３を固定側のフック等に引っ掛けると、該広告基板２を所望する位置に吊して保持することができるようになっている。
【００２４】
一方、広告基板２の背面側に設けられている前記支持脚４は、例えばスーパーマーケット等の店頭に設けられるサッカー台５０上に該広告基板２を立てて載置するとき、該広告基板２を背面側から支えて自立状態に保持するものであり、背面シート２ｃにより形成されている。
【００２５】
該支持脚４は、背面シート２ｃから背面側と対向する方向に折り曲げ可能に形成されている左右１対の支持片４ａ，４ａと、同じく該背面シート２ｃから背面側と対向する方向に折り曲げ可能に形成されている規制片４ｂとで構成されている。
【００２６】
そして、該支持脚４は使用しないとき、左右１対の支持片４ａ，４ａと規制片４ｂを背面側に倒伏させて平面状に展開して保持しておくことができ、反対に使用するときには、左右１対の支持片４ａ，４ａを図２に示す状態である起立展開位置までそれぞれ折り曲げ起立させ、その後、規制片４ｂを支持片４ａ，４ａの係合凹部５，５に強制係止させると起立展開形に保持しておくことができるようになっている。図２は、支持脚４を起立展開形に保持した状態を示しており、この起立展開形の状態で該広告基板２を例えばスーパーマーケットの顧客の目にとまりやすいサッカー台５０等の上に立て置くと、該支持脚４が広告基板２の背面側支えとなり、該広告基板２をサッカー台５０上に自立状態で保持しておくことができる。
【００２７】
前記広告基板２の硬質ボード基板２ａの表面側に貼り付けられている表面シート２ｂは、その表面が印刷をし易いように滑らかに形成されており、また、必要な印刷が施された後から硬質ボード基板２ａの表面に貼り付けられている。
【００２８】
そして、硬質ボード基板２ａに貼り付けられた表面シート２ｂの表面中央部分には、シート状表示物を抜き差し可能に保持する箱状収納部７が固定して取り付けられ、該箱状収納部７を挟んだ左右両側の領域部分に広告面部８，８がそれぞれ設けられている。
【００２９】
前記箱状収納部７は、前面７ａと、左右の側面７ｂ，７ｂと、底面７ｃを有し、かつ、背面７ｄ側が表面シート２ｂで閉じられ、上面に開口９を有する扁平な箱状に、透明または半透明のプラスチック板で成形されている。なお、本例における箱状収納部７の大きさは、縦１５センチ、横１２センチ、厚み１センチである。また、箱状収納部７内には、開口９を通してシート状表示物１０を単数または複数枚重ねて出し入れ自在に収納できるようになっている。尚、前記寸法は之に限定せられるべきではない。
【００３０】
前記箱状収納部７を挟んで左右両側に設けられている前記広告面部８，８の領域は、それぞれ例えば、縦１５センチ、横７センチ程の大きさをした領域である。該領域には、クリーニングのサービスを宣伝する場合を一例としている本実施例では、例えば図３に示すように、「クリーニング」，「得情報」といった、該当サービスに関するキャッチコピーが印刷表示される。
【００３１】
また、前記箱状収納部７内に収納されるシート状表示物１０は、クリーニングサービスの割引券付宣伝を印刷したチラシ等であり、例えば「クリーニングコーナー  ご入会キャンペーン」，「本券裏面の登録用紙にご記入の上、クリーニングコーナーにお持ち下さい。初回クリーニング料金(ドライ品)を全品半額でご利用頂けます」等といったポストカード状のチラシである。これは宣伝目的に応じて当然異なるものである。
【００３２】
なお、該シート状表示物１０は、箱状収納部７内に入れられているシート状表示物１０を顧客が指で摘んで取り出し易くするために、高さ方向の長さを該箱状収納部７の高さ方向の長さよりも若干大きく、すなわち、図３に示すように、該箱状収納部７内に入れられた状態でシート状表示物１０の上端部が指で摘んで引き出せる程度、該箱状収納部７から突出する大きさにして形成されている。そして、箱状収納部７内に入れられたシート状表示物１０は、該箱状収納部７が透明または半透明なプラスチック材で形成されているので、該シート状表示物１０に印刷されている印刷内容は箱状収納部７の外側から見ることができるようになっている。
【００３３】
そして、このように形成された広告用具１は、スーパーマーケットの店頭で、かつ、顧客の目に付きやすいサッカー台５０の上に広告基板２を立てて配置するスペースがあるとき、図２に示すように、支持脚４を起立展開形状にして広告基板２を保持すると、該広告基板２をサッカー台５０上に自立状態で据置しておくことができる。そして、サッカー台５０上の広告基板２のキャッチコピー、及び、シート状表示物１０を顧客が見て興味を持った場合は、箱状収納部７内からシート状表示部１０を引き抜いて自由に持ち帰って使用することができる。
【００３４】
一方、広告基板２を立てて配置するスペースがないときは、例えば図３に示すように、支持脚４を倒伏させて前記平面展開形状にした後、紐３をサッカー台５０上に載置されている袋ロール用スタンド５１のフック５２に掛け止めすると、広告基板２を顧客の目に付きやすい位置に吊して取り付けておくことができる。この場合も、袋ロール用スタンド５１に吊り下げられている広告基板２のキャッチコピー、及び、シート状表示物１０を顧客が見て興味のある場合は、箱状収納部７内からシート状表示部１０を引き抜いて自由に持ち帰ることができる。
【００３５】
したがって、この実施の形態における広告用具１では、新商品の宣伝や割引券付の宣伝を印刷したチラシ等のシート状表示物１０を箱状収納部７に抜き差し可能に収納し、かつ、広告面部８，８に関連したキャッチコピー等を印刷してなる広告基板２を、例えばスーパーマーケットの顧客の目にとまりやすいサッカー台５０上に直接載置、あるいはサッカー台５０上に設置されている袋ロールスタンド５１のフック５２に紐３で吊して簡単に設置することができるので、顧客が広告基板２に気づきやすい。これにより顧客に、広告宣伝を十分アピールすることができる。
【００３６】
また、箱状収納部７内のチラシに関連した広告等の一部を、広告面部８，８にキャッチコピーにして大きく宣伝することも可能になるので広告宣伝効果が向上する。さらに、新商品の宣伝や割引券付の宣伝を印刷したチラシのシート状表示物１０等は、該シート状表示物１０を真に必要とする顧客だけが箱状収納部７から引き抜いて自由に持ち帰ることになるので、無駄な配布が少なくなる。また、シート状表示物１０を箱状収納部７内に収納して設けているので、置いてあるシート状表示物１０が周囲に散乱するのを防ぐこともできることになる。
【００３７】
なお、本実施の形態では、クリーニングのサービスを宣伝する場合を一例として説明したが、これに限ることなく、多分野の商品やサービスを宣伝するのに使用することができるものである。
【００３８】
また、本考案は、本考案の精神を逸脱しない限り種々の改変を為すことができ、そして、本考案が該改変されたものに及ぶことは当然である。
【図面の簡単な説明】
【００３９】
【図１】本発明の一実施の形態に係る広告用具を正面側から見た斜視図。
【図２】同じく広告用具を背面側から見た斜視図。
【図３】同上広告用具の他の使用例を示す斜視図。
【符号の説明】
【００４０】
１      広告用具
２      広告基板
２ａ    硬質ボード基板
２ｂ    表面シート
２ｃ    背面シート
３      紐
４      支持脚
４ａ    支持片
４ｂ    規制片
５      係合凹部
６      取付孔
７      箱状収納部
８      広告面部(領域)
９      開口
１０    シート状表示物
【図１】
0003141217.tif 000003
【図２】
0003141217.tif 000004
【図３】
0003141217.tif 000005